(57)【要約】      （修正有）【課題】実際の照明輝度ニーズに応じて、装置をフレキシブルに調整して組み合わせることができるモジュール化照明装置を提供する。【解決手段】モジュール化照明装置は、サポート構造１００及び複数の照明モジュール２００からなり、サポート構造１００はＵ型枠体１１０で、その開口端において一対のレール１２０を外へと延伸し、任意の照明モジュール２００はレール１２０に連接する散熱ベース２１０、散熱ベース２１０に設置する発光ダイオードユニット２２０、散熱ベース２１０にそれぞれ固定する複数の散熱フィン２３０を備え、任意の散熱フィン２３０にはレール１２０を通して設置する欠口２３１を開設する。【選択図】図３
0003163564.tif 000002
【実用新案登録請求の範囲】
【請求項１】
モジュール化照明装置は、U型枠体であるサポート構造、該サポート構造上に順番に接続する複数の照明モジュールからなり、
該U型枠体の開口端において一対のレールを外へと延伸し、
任意の該照明モジュールは、該レールに連接する散熱ベース、該散熱ベース底部に設置する発光ダイオードユニット、及び該散熱ベース頂点部にそれぞれ固定する複数の散熱フィンからなり、
任意の該散熱フィンには、該レールを通して設置することができる欠口を開設したことを特徴とするモジュール化照明装置。
【請求項２】
前記モジュール化照明装置はさらに、該U型枠体一側辺を封鎖する少なくとも１個の蓋板及び複数の固定部品を備え、
該U型枠体の封鎖端及び該一対のレールの端部には、それぞれ導槽を設置し、
該蓋板は、該各導槽位置に対応して、貫通孔をそれぞれ開設し、該各固定部品は、該各貫通孔をそれぞれ通過し、該各導槽中に固定されたことを特徴とする請求項１に記載のモジュール化照明装置。
【請求項３】
前記発光ダイオードユニットは、該散熱ベースに固定する回路板、及び該回路板上にそれぞれ設置し、しかも該回路板に電気的に連接する複数の発光ダイオードを備えたことを特徴とする請求項１に記載のモジュール化照明装置。
【請求項４】
前記レールには、該散熱ベースが接触する拡大部を形成したことを特徴とする請求項１に記載のモジュール化照明装置。
【請求項５】
前記モジュール化照明装置はさらに、該各照明モジュール上方にそれぞれ設置する一対の遮蔽ユニットを備え、
該遮蔽ユニットは、ひさし板、及び該散熱ベース上に設置する支柱を備え、
該ひさし板一端は、該U型枠体に連接し、反対端は、該支柱に連接したことを特徴とする請求項１に記載のモジュール化照明装置。
【請求項６】
前記サポート構造はさらに、受止め台、及び該受止め台に連接するピボットを備え、
該U型枠体には、該ピボットを通して設置するピボット孔を開設したことを特徴とする請求項１に記載のモジュール化照明装置。
【請求項７】
前記サポート構造はさらに、該受止め台に連接する中空管を備え、
該受止め台には、該中空管を貫通する穿孔を開設したことを特徴とする請求項６に記載のモジュール化照明装置。
【請求項８】
前記モジュール化照明装置はさらに、別のサポート構造、該一対のサポート構造を横方向に接続して固定するブリッジ接続板、及び該一対の受止め台を横方向に接続する受止め板を備えたことを特徴とする請求項６に記載のモジュール化照明装置。
【請求項９】
前記モジュール化照明装置はさらに、該サポート構造及び該各照明モジュールを覆う外カバーを備えたことを特徴とする請求項１に記載のモジュール化照明装置。
【請求項１０】
前記サポート構造はさらに、受止め台、及び該受止め台に連接するピボットを備え、
該外カバーは、該ピボットを通して設置するピボット孔を開設したことを特徴とする請求項９に記載のモジュール化照明装置。
【考案の詳細な説明】
【技術分野】
【０００１】
本考案は照明装置に関し、特にモジュール化照明装置に関する。
【背景技術】
【０００２】
従来の照明は、光源として一般に蛍光灯を用いる。
蛍光灯の発光原理は、電流のアルゴン中における放電を利用するものである。
これにより、水銀蒸気は紫外線を発生するが、紫外線は?質層により吸收され可視光線を発する。
【０００３】
しかし蛍光灯は、使用の後期には、放電状態が徐々に不安定となるため輝度が大幅に低下し、しかも点滅の現象が生じる。
さらに、もし蛍光灯が損壊し破裂すれば、その中の重金属及び水銀蒸気は、人体及び環境に危害を加える恐れがある。
また、蛍光灯には電子式安定器、或いは高周波スターターを設置する必要があり、また起動速度が遅く、消費電力量が高く、発熱量が高い等の欠点がある。
加えて、最近の省エネ及び環境保護意識の高まりもあり、発光ダイオード照明技術は、蛍光灯に代わり、徐々にランプ照明に応用されるようになっている。
【０００４】
発光ダイオードは、冷光源で、体積が小さく、発熱量が低く(紫外線放射がない)、消費電力量が低く(低電圧、低電流起動)、寿命が長く、反応速度が速く、エコロジカル(耐震、耐衝撃、水銀汚染がない)等の長所がある。
従来の発光ダイオードランプは、ランプシェード、該ランプシェードに連接する光透過カバー、該ランプシェードと該光透過カバーとの間に設置する区画板、該区画板上に設置する発光ダイオードモジュールからなる。
該発光ダイオードモジュールは、回路板、該回路板両面にそれぞれ固定する散熱器、複数の発光ダイオードからなる。
【０００５】
しかし実際の使用において、従来の発光ダイオードランプには、なお多くの問題点が存在する。
該発光ダイオードモジュールは、ランプシェードと光透過カバーを組合せた内部空間に固定して設置するため、実際の照明ニーズに応じて、発光ダイオードモジュールの数を隨時増やし、或いは減らすことができない。
そのため、ランプの実用性と弾力的な使用の範囲を狭めている。
しかも、各種異なる規格或いは消費電力のランプを生産する時には、相応の金型をそれぞれ開設しなければならないため、生産コストと製造時間を拡大させてしまっている。
本考案は、従来のモジュール化照明装置の上記した欠点に鑑みてなされたものである。
【先行技術文献】
【特許文献】
【０００６】
【特許文献１】特開２００９−１１７３３０号公報
【考案の概要】
【考案が解決しようとする課題】
【０００７】
本考案が解決しようとする課題は、実際の照明輝度ニーズに応じて、装置をフレキシブルに調整して組み合わせることができるモジュール化照明装置を提供することである。
【課題を解決するための手段】
【０００８】
上記課題を解決するため、本考案は下記のモジュール化照明装置を提供する。
モジュール化照明装置は、U型枠体であるサポート構造、及び該サポート構造上に順番に接続する複数の照明モジュールからなり、
該U型枠体の開口端は、一対のレールを外へと延伸し、
任意の該照明モジュールは、該レールに連接する散熱ベース、該散熱ベース底部に設置する発光ダイオードユニット、及び該散熱ベース頂点部にそれぞれ固定する複数の散熱フィンを備え、
任意の該散熱フィンには、該レールを通して設置することができる欠口を開設し、
本考案は、モジュール化した設置方式により、周囲の環境の実際の照明ニーズに応じて、装置をフレキシブルに調整して組み合わせることができるため、消費電力が異なる製品を簡単に組立てることができ、
例えば、照明モジュールの個数を減らし省エネを達成し、或いは照明モジュールの個数を増やし照明輝度を高めることができ、
これにより、金型開設コストを大幅に引き下げ、使用範囲及び場所を拡大し、しかも照明モジュールは規格化されているため、互換共用の特性を備え、原料及び在庫を減らすことができ、
照明モジュールをレール上に通して固定するため、照明装置全体の構造の安定性を増強することができる。
すなわち、本考案は下記の特徴を有する。
（１）モジュール化照明装置は、U型枠体であるサポート構造、該サポート構造上に順番に接続する複数の照明モジュールからなり、
該U型枠体の開口端において一対のレールを外へと延伸し、
任意の該照明モジュールは、該レールに連接する散熱ベース、該散熱ベース底部に設置する発光ダイオードユニット、及び該散熱ベース頂点部にそれぞれ固定する複数の散熱フィンからなり、
任意の該散熱フィンには、該レールを通して設置することができる欠口を開設したことを特徴とするモジュール化照明装置。
（２）前記モジュール化照明装置はさらに、該U型枠体一側辺を封鎖する少なくとも１個の蓋板及び複数の固定部品を備え、
該U型枠体の封鎖端及び該一対のレールの端部には、それぞれ導槽を設置し、
該蓋板は、該各導槽位置に対応して、貫通孔をそれぞれ開設し、該各固定部品は、該各貫通孔をそれぞれ通過し、該各導槽中に固定されたことを特徴とする（１）に記載のモジュール化照明装置。
（３）前記発光ダイオードユニットは、該散熱ベースに固定する回路板、及び該回路板上にそれぞれ設置し、しかも該回路板に電気的に連接する複数の発光ダイオードを備えたことを特徴とする（１）に記載のモジュール化照明装置。
（４）前記レールには、該散熱ベースが接触する拡大部を形成したことを特徴とする（１）に記載のモジュール化照明装置。
（５）前記モジュール化照明装置はさらに、該各照明モジュール上方にそれぞれ設置する一対の遮蔽ユニットを備え、
該遮蔽ユニットは、ひさし板、及び該散熱ベース上に設置する支柱を備え、
該ひさし板一端は、該U型枠体に連接し、反対端は、該支柱に連接したことを特徴とする（１）に記載のモジュール化照明装置。
（６）前記サポート構造はさらに、受止め台、及び該受止め台に連接するピボットを備え、
該U型枠体には、該ピボットを通して設置するピボット孔を開設したことを特徴とする（１）に記載のモジュール化照明装置。
（７）前記サポート構造はさらに、該受止め台に連接する中空管を備え、
該受止め台には、該中空管を貫通する穿孔を開設したことを特徴とする（６）に記載のモジュール化照明装置。
（８）前記モジュール化照明装置はさらに、別のサポート構造、該一対のサポート構造を横方向に接続して固定するブリッジ接続板、及び該一対の受止め台を横方向に接続する受止め板を備えたことを特徴とする（６）に記載のモジュール化照明装置。
（９）前記モジュール化照明装置はさらに、該サポート構造及び該各照明モジュールを覆う外カバーを備えたことを特徴とする（１）に記載のモジュール化照明装置。
（１０）前記サポート構造はさらに、受止め台、及び該受止め台に連接するピボットを備え、
該外カバーは、該ピボットを通して設置するピボット孔を開設したことを特徴とする（９）に記載のモジュール化照明装置。
【考案の効果】
【０００９】
本考案のモジュール化照明装置は、実際の照明輝度ニーズに応じて、装置をフレキシブルに調整して組み合わせることができるため、金型開設コストを大幅に引き下げ、使用範囲及び場所を拡大し、しかも照明モジュールは規格化されているため、互換共用の特性を備え、原料及び在庫を減らすことができ、照明モジュールをレール上に通して固定するため、照明装置全体の構造の安定性を増強することができる。
【図面の簡単な説明】
【００１０】
【図１】本考案の立体分解図である。
【図２】本考案の立体組合せ図である。
【図３】図２の別の角度からの模式図である。
【図４】本考案の横方向組合せ断面図である。
【図５】本考案において、照明モジュールが比較的少ない状態の模式図である。
【図６】本考案において、照明モジュールが比較的多い状態の模式図である。
【図７】本考案の別種の実施例の立体分解図である。
【図８】本考案の別種の実施例の横方向組合せ断面図である。
【図９】本考案のさらに別種の実施例の立体組合せ図である。
【図１０】本考案において、多数組の照明モジュールを並列する様子の立体組合せ図である。
【図１１】本考案において、受止め台に中空管を連接する様子の立体組合せ図である。
【図１２】本考案において、受止め台がU型枠体頂点面に接続する様子の立体図である。
【図１３】本考案に外カバーを増設する様子の立体組合せ図である。
【考案を実施するための形態】
【００１１】
以下に図面を参照しながら本考案を実施するための最良の形態について詳細に説明する。
【実施例】
【００１２】
図１〜４に示すように、本考案モジュール化照明装置は、U型枠体110である中空枠体110’及び一対のレール120、130を含むサポート構造100、複数の照明モジュール200、少なくとも１個の蓋板300、複数の固定部品400からなる。
【００１３】
該U型枠体110の中空内部空間には、変圧器、電源線等の電気部品を設置する。
【００１４】
該一対のレール120、130は、該U型枠体110の底部両側からそれぞれ外へと延伸して成型する。
すなわち、該一対のレール120、130は、該U型枠体110の開口端において外へと延伸する。
【００１５】
さらに、該U型枠体110の封鎖端及び該一対のレール120、130の端部には、それぞれ導槽140を設置する。
【００１６】
該各照明モジュール200は、順番に該サポート構造100上に接続し、しかも相互に緊密に接触する。
【００１７】
任意の該照明モジュール200は、該一対のレール120、130底面に連接する散熱ベース210、発光ダイオードユニット220、複数の散熱フィン230からなる。
【００１８】
該散熱ベース210は、導熱性が良好な部品で、アルミ基板或いは銅基板等であるが、これに限定するものではない。
【００１９】
該発光ダイオードユニット220は、該散熱ベース210底部に設置し、該散熱ベース210底面に固定する回路板221、及びそれぞれ該回路板221上に設置し、しかも該回路板221に電気的に連接する複数の発光ダイオード222からなる。
【００２０】
該回路板221と該散熱ベース210との間には、導熱媒介を塗布し、熱伝導性能を高めることができる。
【００２１】
該各散熱フィン230は、該散熱ベース210頂点面の両端区域にそれぞれ固定し、しかも該U型枠体110を挟んで固定する。
【００２２】
該各散熱フィン230は、溶接方式、或いは一体成型方式により、該散熱ベース210頂点面に連接するが、この成型方式に限定するものではない。
【００２３】
該各散熱フィン230は、導熱性が良好な部品で、アルミ片或いは銅片等であるが、これに限定するものではない。
【００２４】
任意の該散熱フィン230は、任意の該レール120、130に通して設置し、しかも相互に対応する欠口231を開設する。
【００２５】
該照明モジュール200は、該各欠口231により該一対のレール120、130上に通して接続する他に、固定部品を使用して、該散熱ベース210と該一対のレール120、130とを、緊密に連接し、該散熱ベース210を定位することができる。
【００２６】
該固定部品可は、ネジユニット、或いは粘性媒介等である。
【００２７】
該少なくとも１個の蓋板300は、該U型枠体110の一側辺を封鎖し、該蓋板300は、該各導槽140位置に対応し、それぞれ貫通孔310を開設する。
【００２８】
該各固定部品400は、該各貫通孔310をそれぞれ貫通して設置し、該各導槽140中に固定され、こうして該蓋板300を、該サポート構造100前端に緊密に設置する。
【００２９】
該一対のレール120、130は、後端に、それぞれ一対の拡大部121、131を形成し、これにより該各照明モジュール200を該U型枠体110に順番に設置する時、該各照明モジュール200は、相互に緊密に接触する。
【００３０】
該一対の拡大部121、131には、最後の該照明モジュール200が接触し、該蓋板300の開放部は該照明モジュール200に接触する。
【００３１】
こうして、該各照明モジュール200は、該蓋板300と該一対の拡大部121、131との間に挟持される。
【００３２】
本考案はさらに、複数の照明モジュール200’を含むが、その構造は、該各照明モジュール200と相同であるため、詳述しない。
【００３３】
図５、６に示すように、本考案は、周囲の環境の実際の照明ニーズに応じて、該各照明モジュール200の個数を減らし省エネを達成し、或いは該各照明モジュール200の個数を増やし照明輝度を高めることができるため、使用における弾力性を備えている。
【００３４】
また本考案は、街路灯として用いることもでき、その際には屋外に設置するため、該U型枠体110中にポールを通して設置する。
【００３５】
図７、８に示すように、該モジュール化照明装置はさらに、該各照明モジュール200両辺上方にそれぞれ設置する一対の遮蔽ユニット500を備える。
【００３６】
任意の該遮蔽ユニット500は、ひさし板510、支柱520からなる。
【００３７】
該ひさし板510一端は、該U型枠体110上部の該導槽140中に嵌めて設置する。
【００３８】
該支柱520は、任意の該散熱ベース210の辺縁に設置し、該ひさし板510の反対端は、該支柱520に連接する。
【００３９】
これにより、該ひさし板510は、該各散熱フィン230上方においてオーバーハングし、該各散熱フィン230に雨水やほこりがかかり、散熱効果に影響を及ぼすことがないよう、防水、防塵機能を達成する。
【００４０】
図９に示すように、本考案は壁面照明として用いることができ、その際には、該サポート構造100は、受止め台150、及び該受止め台150に連接するピボット160を備える。
【００４１】
該U型枠体110後端には、該ピボット160を通して設置するピボット孔111を貫通状に開設する。
【００４２】
これにより、該U型枠体110は、該受止め台150上において転回可能となり、こうして該各照明モジュール200は、異なる角度で壁面を照射することができる。
【００４３】
図１０に示すように、本考案は、多数組の照明モジュールを並列させ、照明輝度及び範囲を拡大することができる。
【００４４】
その際には、本考案はブリッジ接続板600及び受止め板700を備え、該ブリッジ接続板600は、複数のサポート構造100を横に跨いで接続し、該受止め板700は、該複数の受止め台150横に方向に接続する。
【００４５】
図１１に示すように、該サポート構造100はさらに、該受止め台150に連接する中空管170を備えることができ、しかも該受止め台150には穿孔151を開設し、これにより該U型枠体110内に収容する電源線は、該穿孔151及び該中空管170を通過することができる。
【００４６】
図１２に示すように、該受止め台150は、該U型枠体110頂点面に可動状態で接続することができる。
【００４７】
これにより、該U型枠体110頂点面は、ピボット部を突出状に延伸し、該ピボット孔111は、該ピボット部上に開設し、該ピボット160は、該ピボット孔111に通して設置する。
【００４８】
図１３に示すように、本考案はさらに、該サポート構造100、該各照明モジュール200、及び該遮蔽ユニット500を覆う外カバー800を備えることができる。
【００４９】
しかも、該外カバー800は、該発光ダイオードユニット220を露出させるため、該ピボット孔111は該外カバー800上に開設し、該ピボット160は該ピボット孔111に通して設置するため、該外カバー800は、該受止め台150上で転回することができる。
【００５０】
上記の本考案名称と内容は、本考案技術内容の説明に用いたのみで、本考案を限定するものではない。本考案の精神に基づく等価応用或いは部品（構造）の転換、置換、個数の増減はすべて、本考案の保護範囲に含むものとする。
【産業上の利用可能性】
【００５１】
本考案は実用新案の要件である新規性を備え、従来の同類製品に比べ十分な進歩を有し、実用性が高く、社会のニーズに合致しており、産業上の利用価値は非常に大きい。
【符号の説明】
【００５２】
100  サポート構造
110  U型枠体
110’  中空枠体
111  ピボット孔
120、130  レール
121、131  拡大部
140  導槽
150  受止め台
151  穿孔
160  ピボット
170  中空管
200、200’  照明モジュール
210  散熱ベース
220  発光ダイオードユニット
221  回路板
222  発光ダイオード
230  散熱フィン
231  欠口
300  蓋板
310  貫通孔
400  固定部品
500  遮蔽ユニット
510  ひさし板
520  支柱
600  ブリッジ接続板
700  受止め板
800  外カバー
【図１】
0003163564.tif 000003
【図２】
0003163564.tif 000004
【図３】
0003163564.tif 000005
【図４】
0003163564.tif 000006
【図５】
0003163564.tif 000007
【図６】
0003163564.tif 000008
【図７】
0003163564.tif 000009
【図８】
0003163564.tif 000010
【図９】
0003163564.tif 000011
【図１０】
0003163564.tif 000012
【図１１】
0003163564.tif 000013
【図１２】
0003163564.tif 000014
【図１３】
0003163564.tif 000015